(57)【特許請求の範囲】
【請求項１】
建物各階のエレベータ乗場に設けられ、エレベータ利用者向けに、かご位置の表示を行う複数の乗場インジケータと、
建物各階のエレベータ乗場に設けられ、エレベータを自階に呼び寄せるための入力部と、
エレベータ保守員向けのエレベータ管理情報を取得するエレベータ管理情報取得手段と、
前記入力部に対する入力操作に応じて、前記複数の乗場インジケータのうち少なくとも一つに前記エレベータ管理情報を表示させる表示制御手段と、
を含むことを特徴とするエレベータの管理情報表示装置。
【請求項２】
請求項１に記載のエレベータの管理情報表示装置において、
前記表示制御手段は、前記エレベータ管理情報を一部づつ複数タイミングに分けて順に前記乗場インジケータに表示させることを特徴とするエレベータの管理情報表示装置。
【請求項３】
請求項１又は２に記載のエレベータの管理情報表示装置において、
前記エレベータ管理情報はエレベータ非常停止位置を表す情報であることを特徴とするエレベータの管理情報表示装置。
【発明の詳細な説明】
【０００１】
【発明の属する技術分野】
本発明はエレベーターの管理情報表示装置に関し、例えば、エレベーター閉じ込め故障時においてかご位置を表示することのできるエレベータの管理情報表示装置に関する。
【０００２】
【従来の技術】
図４は、従来の乗場パネルの制御を説明する図である。同図に示すように、エレベータが設置された建物では、各階のエレベータ乗場に乗場パネル５が設けられている。このうち、最下階の乗場パネル５−１には、乗場インジケータ１−１と上側ボタン２ａ−１とが設けられている。また、最上階の乗場パネル５−ｎには、乗場インジケータ１−ｎと下側ボタン２ｂ−ｎとが設けられている。そして、中間階に設けられた乗場パネル、例えば２階に設けられた乗場パネル５−２には、乗場インジケータ１−２と上側ボタン２ａ−２及び下側ボタン２ｂ−２とが設けられている。そして、これら乗場パネル５には伝送線３が接続されており、該伝送線３によって機械室内の制御盤４と相互に通信可能となっている。
【０００３】
かかる構成において、乗場インジケータ１−１，１−２，…は、ドットマトリクス表示器であって、図５（ａ）〜（ｅ）に示すようにして、エレベータのかご位置を表す階数を表示する。また、上側ボタン２ａ−１，２ａ−２や下側ボタン２ｂ−２，２ｂ−ｎは、エレベータ利用者がエレベータを自階に呼び寄せるために押下するものである。このように、従来の乗場パネル５はもっぱらエレベータ利用者に対する表示や入力を行うものであった。
【０００４】
一方、従来、エレベータの閉じ込め故障が発生した場合には、現場に到着したエレベータ保守員が、直ちに機械室に行ってかご位置の確認を行い、その後エレベータ内に閉じ込められた利用者を救出していた。
【０００５】
図６は、閉じ込め故障発生時に乗客を救出する作業を説明するフロー図である。同図に示す作業においては、エレベータ保守員が現場に到着すると（Ｓ１０１）、直ちに該エレベータ保守員が通常は建物の最上階に設けられている機械室に向かい、そこで、制御盤４の情報を確認したり、或いは調速機のロープマークの確認などにより、現在のかご位置を確認する（Ｓ１０２）。そしてエレベータ保守員が、現在のかご位置のままで閉じ込められたエレベータ利用者を救出することが可能であるかを判断し（Ｓ１０３）、可能でなければ制御盤４を操作する等してかご位置を上下にずらし、エレベータかごを救助可能な位置にまで移動させる（Ｓ１０４）。その後、エレベータ保守員が各階に設けられたエレベータ乗場に行き、乗場エレベータのエレベータ利用者を救出する（Ｓ１０６）。
【０００６】
【発明が解決しようとする課題】
しかしながら、上記従来の手順では、たとえ現在のかご位置のままでエレベータ利用客の救出が可能であったとしても、エレベータ保守員は一旦機械室まで行き、かご位置の確認を行わなくてはならず、救出時間が余計にかかってしまうという問題があった。
【０００７】
こうした問題は一例に過ぎず、エレベータの保守を進めるにあたり、機械室に行かずとも各階のエレベータ乗場にて一定のエレベータ管理情報を確認することができれば有意義である。
【０００８】
本発明は上記課題に鑑みてなされたものであって、その目的は、エレベータ保守員が機械室に行くことなくエレベータ管理情報を確認することのできるエレベータの管理情報表示装置を提供することにある。
【０００９】
【課題を解決するための手段】
上記課題を解決するために、本発明に係るエレベータの管理情報表示装置は、建物各階のエレベータ乗場に設けられ、エレベータ利用者向けに、かご位置の表示を行う複数の乗場インジケータと、建物各階のエレベータ乗場に設けられ、エレベータを自階に呼び寄せるための入力部と、エレベータ保守員向けのエレベータ管理情報を取得するエレベータ管理情報取得手段と、前記入力部に対する入力操作に応じて、前記複数の乗場インジケータのうち少なくとも一つに前記エレベータ管理情報を表示させる表示制御手段と、を含むことを特徴とする。
【００１０】
また、本発明に係るエレベータの管理情報表示装置は、建物各階のエレベータ乗場に設けられ、エレベータ利用者向けに、かご位置の表示を行う複数の乗場インジケータと、エレベータ保守員向けのエレベータ管理情報を取得するエレベータ管理情報取得手段と、エレベータの動作状態に応じて、前記複数の乗場インジケータのうち少なくとも一つに前記エレベータ管理情報を表示させる表示制御手段と、を含むことを特徴とする。
【００１１】
本発明においては、通常はエレベータ利用者向けの表示をする乗場インジケータが、所与のタイミングにてエレベータ保守員向けのエレベータ管理情報を表示する。この際、エレベータ利用者向けの表示に加えてエレベータ管理情報を表示するようにしてもよいし、或いはエレベータ利用者向けの表示に換えてエレベータ管理情報を表示するようにしてもよい。こうすれば、エレベータ保守員は機械室に行くことなくエレベータ管理情報を各階のエレベータ乗場にて確認することができる。  
また、本発明によれば、入力部に対し所定入力操作が行われた場合、エレベータ故障など前記エレベータが所定動作状態にある場合、或いは前記エレベータが所定動作状態にあり、且つ前記入力部に対し所定入力操作が行われた場合に、エレベータ管理情報が前記乗場インジケータに表示される。こうすれば、乗場インジケータにエレベータ管理情報を表示させるタイミングを提供することができる。
【００１２】
また、本発明の一態様では、前記表示制御手段は、前記エレベータ管理情報を一部づつ複数タイミングに分けて順に前記乗場インジケータに表示させることを特徴とする。こうすれば、多くの情報を含むエレベータ管理情報を、少ない情報しか一度に表示することができない乗場インジケータを用いて、好適に表示することができる。
【００１３】
また、本発明の一態様では、エレベータの管理情報表示装置において、前記エレベータ管理情報はエレベータ非常停止位置を表す情報であることを特徴とする。この態様では、所与のタイミングにて乗場インジケータにエレベータ非常停止位置が表示される。こうすれば、エレベータ保守員は、例えばエレベータの閉じ込め故障などの際、機械室に行くことなく直ちにエレベータの非常停止位置を確認することができる。この結果、エレベータかごの敷居と乗場敷居との段差が少ない場合などにエレベータ利用客を直ちに救出することができる。
【００１４】
【発明の実施の形態】
以下、本発明の好適な実施の形態について図面に基づき詳細に説明する。
【００１５】
図１は、本発明の実施の形態に係るエレベータ管理情報表示装置の全体構成を示す図である。同図において、乗場パネル５−１，５−２，…は図４に示す乗場パネルと同様であり、通常は乗場インジケータ１−１，１−２，…は階数表示を行う。また、上側ボタン２ａ−１，２ａ−２や下側ボタン２ｂ−２，２ｂ−ｎは、エレベータ利用者がエレベータかごを自階に呼び寄せるためのボタンである。
【００１６】
本発明に係るエレベータ管理情報表示装置では、機械室に設けられた制御盤４に、エレベータ管理情報用の表示制御部７とエレベータ管理情報取得部６とが特に設けられている。エレベータ管理情報取得部６は、機械室内の機器やエレベータかごに取り付けられた各種センサに基づいてエレベータ管理情報を取得する。このエレベータ管理情報はエレベータ保守員向けの情報であり、例えばエレベータの閉じ込め故障が発生した際のエレベータかご位置などが含まれる。表示制御部７は、エレベータ管理情報取得部６で取得されたエレベータ管理情報を乗場インジケータ１のいずれか一つに表示させる。好適には、エレベータ管理情報取得部６がエレベータ閉じ込め故障の発生を検知しており、且つ乗場パネル５のうちいずれかにおいて、上側ボタン２ａ又は下側ボタン２ｂが所定秒数を押下された場合において、その押下された階の乗場パネル５に設けられた乗場インジケータ１にエレベータ管理情報を表示させるようにする。その他、上側ボタン２ａと下側ボタン２ｂとが同時に所定秒数を押下された場合など、エレベータ管理情報の表示を上側ボタン２ａや下側ボタン２ｂに対する操作手順に係らしめてもよいし、エレベータ管理情報取得部６がエレベータ閉じ込め故障の発生を検知した場合に自動的に全ての乗場インジケータ１にエレベータ管理情報を表示させるようにしてもよい。
【００１７】
図２は乗場インジケータ１の表示例を示す図である。同図に示すように乗場インジケータ１はドットマトリクス表示器であり、数字やアルファベットに加え矢印等の記号を表示することができるようになっている。同図の例では、乗場インジケータ１によりエレベータ管理情報を表示した様子が示されており、特に、エレベータ閉じ込め故障時にエレベータ管理情報取得部６がエレベータかごの敷居が２階乗場の敷居から１００ミリ下にあることを検知した場合が示されている。この場合、同図（ａ）〜（ｆ）に順に示すように、乗場インジケータ１には「２」「Ｆ」「↓」「１」「０」「０」が所定時間間隔で順に表示される。こうすれば、主として階数表示を行うため少ない情報量しか表示することのできない乗場インジケータ１を用いた場合であっても、多くの情報を含むエレベータ管理情報を表示することができる。
【００１８】
図３は、本発明の実施の形態に係るエレベータの管理情報表示装置を用い、閉じ込め故障発生時に、エレベータ利用者を救助する作業手順を説明するフロー図である。同図に示すように、この作業手順では、まずエレベータ保守員が現場に到着すれば（Ｓ１１）、エレベータ保守員がいずれかのエレベータ乗場で上側ボタン２ａ又は下側ボタン２ｂを用いて所定入力操作を行う。これを受けて、制御盤４のエレベータ管理情報取得部６がエレベータかご位置を取得し、表示制御部７が取得したエレベータ管理情報を乗場インジケータ１に表示させる（Ｓ１２）。
【００１９】
次に、エレベータ保守員は乗場インジケータ１の表示を基に現在のかご位置のままでエレベータ利用客を救出可能であるかどうかを判断する（Ｓ１３）。そして、エレベータかごを昇降移動させなければエレベータ利用者を救出できないと判断した場合には機械室に向かい、エレベータかご位置を修正する（Ｓ１４）。一方、現在のかご位置のままでエレベータ利用者を救出できると判断すれば、その乗場に向かい、そこで乗場ドアを開け（Ｓ１５）、エレベータかご内に閉じ込められたエレベータ利用者を建物側に救出する（Ｓ１６）。
【００２０】
こうすれば、例えばエレベータかごの敷居と乗場の敷居との段差が少ない場合などに、エレベータ保守員は機械室に向かうことなく直ちにエレベータ利用者を救出することが可能となる。
【００２１】
以上説明したエレベータの管理情報表示装置は種々の変形実施が可能である。たとえば、上記説明においてはエレベータ管理情報としてエレベータのかご位置を取り扱ったが、その他にもエレベータ保守員向けの種々の情報を乗場インジケータで表示させることができる。この場合、エレベータの動作状態や上側ボタン２ａの又は下側ボタン２ｂに対する入力操作に応じて、所定タイミングでのみエレベータ管理情報を乗場インジケータ１に表示させれば、不用意にエレベータ利用者を惑わせずにすむ。
【００２２】
また、以上の説明では乗場インジケータ１としてドットマトリックス表示器を想定したが、乗場インジケータ１が７セグメントＬＥＤにより構成された場合であっても同様である。また、その他の場合であっても、表示形態を通常利用とは異なる特殊なものとすることにより、エレベータ保守員向けの情報をエレベータ利用者向けの情報とは区別して表示させることが可能となる。
【図面の簡単な説明】
【図１】本発明の実施の形態に係るエレベータの管理情報表示装置の全体構成を示す図である。
【図２】本発明の実施の形態に係るエレベータの管理情報表示装置における乗場インジケータの表示例を示す図である。
【図３】本発明の実施の形態に係るエレベータの管理情報表示装置を用いた、エレベータ内に閉じ込められたエレベータ利用者を救出する手順を説明するフロー図である。
【図４】従来の乗場パネルの制御を説明する図である。
【図５】従来の乗場インジケータの表示例を示す図である。
【図６】エレベータ閉じ込め故障時にエレベータ利用者を救助する従来の手順を説明するフロー図である。
【符号の説明】
１  乗場インジケータ、２ａ  上側ボタン、２ｂ  下側ボタン、３  伝送線、４  制御盤、５  乗場パネル、６  エレベータ管理情報取得部、７  表示制御部。
【図１】
0003557101.tif 000002
【図２】
0003557101.tif 000003
【図３】
0003557101.tif 000004
【図４】
0003557101.tif 000005
【図５】
0003557101.tif 000006
【図６】
0003557101.tif 000007